(57)【要約】【課題】  本発明は、表裏双方からの鑑賞に際しても好適な外観を保つとともに、従来の固定的な観念に囚われない使用用途に富んだ衝立を提供することにある。【解決手段】  左右框１ｂ，１ｄと上下桟１ａ，１ｃとを矩形に枠組みして枠体１を形成し、該枠体１の内側面に沿って連続した溝Ｒを設けると共に、この溝Ｒに沿って枠体１に囲まれた空間Ｓに装飾パネル３を嵌挿し、また下桟１ｃには、枠体１を起立させる脚台２を取り付けており、前記左右框１ｂ，１ｄ及び上下桟１ａ，１ｃのいずれか一側１ａ，１ｂ，１ｃ，１ｄは、他側１ａ，１ｂ，１ｃ，１ｄからの脱着を可能に形成してあり、且つ前記一側１ａ，１ｂ，１ｃ，１ｄの脱着時、他側１ａ，１ｂ，１ｃ，１ｄの溝４，Ｒのパネル３差込端側を開放して前記装飾パネル３を出入自在に形成していることを特徴とする。【選択図】    図２
2005336770.tif 000002
【特許請求の範囲】
【請求項１】
左右框（１ｂ，１ｄ）と上下桟（１ａ，１ｃ）とを矩形に枠組みして枠体（１）を形成し、該枠体（１）の内側面に沿って連続した溝（４，Ｒ）を設けると共に、この溝（４，Ｒ）に沿って枠体（１）に囲まれた空間（Ｓ）へ装飾パネル（３）を嵌挿し、また下桟（１ｃ）には、枠体（１）を起立させる脚台（２）を取り付けてあり、
前記左右框（１ｂ，１ｄ）及び上下桟（１ａ，１ｃ）のいずれか一側（１ａ，１ｂ，１ｃ，１ｄ）は、他側（１ａ，１ｂ，１ｃ，１ｄ）からの着脱を可能に形成してあり、且つ前記一側（１ａ，１ｂ，１ｃ，１ｄ）の脱着時には、他側（１ａ，１ｂ，１ｃ，１ｄ）の溝（４，Ｒ）のパネル（３）差込端側を開放し、前記装飾パネル（３）を出入自在に形成していることを特徴とする衝立。
【請求項２】
前記溝（Ｒ）内には、嵌挿された装飾パネル（３）とのパッキング材（８）を介在していることを特徴とする請求項１記載の衝立。
【請求項３】
前記脚台（２）は、枠体（１）のいずれの側（１ａ，１ｂ，１ｃ，１ｄ）においても取付可能に形成していることを特徴とする請求項１又は２記載の衝立。
【発明の詳細な説明】
【技術分野】
【０００１】
本発明は主に、室内外の装飾や間仕切り等を目的として利用される衝立に関するものである。
【背景技術】
【０００２】
衝立は例えば、室内開口部の間仕切り、あるいは室内外を彩る装飾品として広く利用されていた。
【特許文献１】特開平７−１０００４４号公報
【発明の開示】
【発明が解決しようとする課題】
【０００３】
従来の衝立は、枠体によって囲まれた空間の一面側に、写真やポスター等が被覆された装飾パネルを収納し、他面側には無地の支持板を前記パネルに宛がうようにしたものが主流であった。このことから例えば、間仕切り的な利用をした場合には、枠体の他面側から支持板が露わとなって室内外の美観を損ねてしまい、衝立の他面側を表に見せないような使い方に限らざるを得ない不都合があった。
【０００４】
また枠体に囲まれた空間に装飾パネルを収納した後は、枠体の至る所に配置された複数の止具を前記支持板の端縁に掛ける手間があったため、衝立の使用期間が長くなるにつれて装飾パネルの交換が煩わしくなり、ついには利用されなくなるケースも多い。
【０００５】
本発明は、表裏双方からの鑑賞に際しても好適な外観を保つとともに、従来の固定的な観念に囚われない使用用途に富んだ衝立を提供することにある。
【課題を解決するための手段】
【０００６】
本発明のうち請求項１記載の発明は、左右框と上下桟とを矩形に枠組みして枠体を形成し、該枠体の内側面に沿って連続した溝を設けると共に、この溝に沿って枠体に囲まれた空間へ装飾パネルを嵌挿し、また下桟には、枠体を起立させる脚台を取り付けてあり、前記左右框及び上下桟のいずれか一側は、他側からの脱着を可能に形成してあり、且つ前記一側の脱着時、他側の溝内のパネル差込端側を開放し、前記装飾パネルを出入自在に形成していることを特徴とする。
【０００７】
ここで溝は、左右框及び上下桟の内側面に直接設けてもよいし、あるいは断面コ字型をなす樹脂部材を前記内側面に這わせてもよく、枠体に囲まれた空間内への装飾パネルの嵌挿を行える形態をなすものであれば特に限定するものではない。また溝の深さ・形状は、該溝内に装飾パネルを差し入れた際に、装飾パネルの端縁が枠体の前後に抜け出ないものであればよい。また装飾パネルとは、この種の衝立に飾られるごく一般的なものを意味しており、具体的には、デザインガラスやポスター、写真などが挙げられる。
【０００８】
このように形成すると、上下桟又は左右框のいずれか一側を他側から脱着することで、枠体内側面に設けた溝が開放されるので、このまま前記溝内に沿って装飾パネルを嵌挿して枠体に囲まれた空間に収納し、さらに脱着したいずれか一側の左右框、又は上下桟を他側に再び取り付けることで、枠体に囲まれた空間に装飾パネルを他のパネルと取替ができる状態で収容できる。しかも、装飾パネルの端縁のみを前記溝を介して枠体から支持することで、装飾パネルの表裏面の双方を室内外に向けて飾ることができる。
【０００９】
また本発明のうち請求項２記載の発明は、前記溝内には、嵌挿された装飾パネルとのパッキング材を介在しているので、例えばデザインガラスや摺りガラスのように、パネルの表裏面に凹凸のある立体的な加工が施されたものでは、その収納時、溝の内壁面との間で接触箇所と非接触箇所とが生じるが、これに対してパッキング材がパネル表裏面の凹凸に対応して変形・密着し、非接触面による隙間を埋めて溝とパネルとの間に緊密に介在することで、パネルの態様に関係なく接触箇所／非接触箇所の隔たりが解消される。
【００１０】
パッキング材は、装飾パネルの表裏面の凹凸を吸収できる程度に変形するものであればよく、例えばゴムや樹脂、発泡スチロール等が挙げられる。
【００１１】
本発明のうち請求項３記載の発明では、前記脚台は、枠体のいずれか一側に着脱可能に形成してあるので、装飾パネルに描画されたデザインの構図や、あるいは室内外とのマッチングによって、枠体を様々な向きに変えて飾ることができる。
【００１２】
枠体と脚台との取付箇所は、枠体の向きを様々変えても脚台から起立した状態を保つ必要があり、例えば、枠体の断面形状・大きさを統一する一方、脚台の一面側に前記枠体を受ける窪みを設けたものや、あるいは、脚台に枠体への取付を可能とするクリップのような把持具を取り付けてもよい。
【発明の効果】
【００１３】
本発明のうち請求項１記載の発明によれば、表裏面双方からの装飾パネルの鑑賞が行えるので装飾品としての体裁が良く、しかも、枠体からの装飾パネルの取り替えも自在に行えるので、間仕切りや看板等への転用といった多様な用途に対応できる機能美も有している。
【００１４】
また本発明のうち請求項２記載の発明によれば、請求項１記載の効果に加えて、装飾パネルの態様を選ばずに、該パネルをしっかりと枠体内に保持できる。
【００１５】
本発明のうち請求項３記載の発明によれば、請求項１及び２記載の発明の効果に加えて、装飾パネルの構図に合わせ、枠体の向きを適宜変えて起立させられるので、本衝立の用途を一層拡げられる。
【発明を実施するための最良の形態】
【００１６】
次に、本発明による衝立の一実施形態を各図面に基づいて以下に説明する。
尚、本実施形態では、装飾パネルとしてデザインガラス３を適用している。
【００１７】
まず、本衝立の構成を図１、図２及び図３を参照して説明すると、左右框１ｂ，１ｄと上下桟１ａ，１ｃとから矩形に枠組みした枠体１と、上面に設けた窪み１０が下桟１ｃの底部側を挟持する脚台２とからなるものである。さらに本衝立の各部位の詳細については、前記上桟１ａの左右両端部に、下方に突出した差込杆６，６をそれぞれ備える一方、左右框１ｂ，１ｄの上端部には前記各差込杆６，６の受穴７，７を設けており、これにより上桟１ａの左右框１ｂ，１ｄ上側からの脱着を自在としている。また左右框１ｂ，１ｄ及び上下桟１ａ，１ｃのすべての内側面には、枠体１の枠組み後に連続するような凹溝Ｒを有する把持部材４を這わせている（図３参照)。そして、この把持部材４と左右框１ｂ，１ｄ及び上下桟１ａ，１ｃとの取り付けについては、左右框１ｂ，１ｄ及び上下桟１ａ，１ｃの内側面に、それぞれが内向きに対向する各突出片９，９を設けており、当該各突出片９，９の先端間に、凹溝Ｒを枠体１に囲まれた空間Ｓ側に向くようにして前記把持部材４を嵌入し、該把持部材４を離脱不能に固定している。
尚、符号５はネジであり、上桟１ａの脱着時、差込杆６，６を受穴７，７へ嵌挿した際、上桟１ａと左右框１ｂ，１ｄの各々のネジ穴が一致するので、そこに前記ネジ５を羅合して各々の結合力を高めている。
【００１８】
また前記凹溝Ｒ内にはゴムパッキング８を詰めている。このゴムパッキング８は凹溝Ｒに嵌挿されたデザインガラス３との間に介在するが、この際にゴムパッキング８は、デザインガラス３表裏面の凹凸に合わせて変形・密着し、凹溝Ｒとデザインガラス３表裏面との非接触面を埋めるので、凹溝Ｒ内でのデザインガラス３の前後左右の隙間に前記ゴムパッキング８が介在することとなる。このことから、デザインガラス３の端縁の全周に亘ってゴムパッキング８が介在することで、デザインガラス３が枠体１から弾性的に支持され、例えば、本衝立の落下や他物との接触といった不意な事態においても、デザインガラス３への衝撃の伝達が緩和される。
【００１９】
そして枠体１へのデザインガラス３の嵌挿については具体的に、上桟１ａを左右框１ｂ，１ｄから脱着することで行われる。ここで上桟１ａの脱着時には、左右框１ｂ，１ｄの上側の各受穴７，７が開放するが、これに伴って各把持部材４の凹溝Ｒの上端側もそれぞれ開放するので、この凹溝Ｒに沿ってデザインガラス３を上方から差し入れることで、デザインガラス３の端縁は、ゴムパッキング８に接触しながら徐々に下方側へ嵌挿されていき、最終的に、左右框１ｂ，１ｄと下桟１ｃの三方に囲まれた状態でデザインガラス３が保持される。この状態から先の段階で脱着した上桟１ａの各差込杆６，６を、再び左右框１ｂ，１ｄの各受穴７，７に差し込み、さらに両側からネジ５，５で羅合することで、枠体１にデザインガラス３を収納する作業が終了する（図３参照）。
【００２０】
次に図４に示すものは、左框１ｂを下側に置き、装飾パネル３に描かれたデザインの構図に合わせて枠体１を横向きにしたものである。
この場合にはまず、当初枠体１が縦向きに置かれていた際の下桟１ｃから脚台２，２を取り外し、次いで、この脚台２，２の窪み１０，１０を当初の左框１ｂに挟持し、この左框１ｂを下側にして枠体１を起立させたものである。また本実施形態の衝立は、左右框１ｂ、１ｄ及び上下桟１ａ，１ｃの型材の大きさ・断面形状が統一されている。従って、枠体１のいずれの箇所においても脚台２の窪み１０によって挟持可能となり、枠体１を様々な向きに変えて脚台２から起立できる。
【図面の簡単な説明】
【００２１】
【図１】本発明の衝立の斜視図である。
【図２】本発明の衝立の装飾パネル取付時の状態を示す正面図である。
【図３】図２中Ａを拡大して示す説明図である。
【図４】本発明の衝立の他の実施形態を示す正面図である。
【符号の説明】
【００２２】
１  枠体
１ａ  上桟
１ｂ  左框
１ｃ  下桟
１ｄ  右框
２  脚台
３  デザインガラス（装飾パネル）
４  把持部材（溝）
８  ゴムパッキング（パッキング材）
Ｒ  凹溝（溝）
Ｓ  空間
【図１】
2005336770.tif 000003
【図２】
2005336770.tif 000004
【図３】
2005336770.tif 000005
【図４】
2005336770.tif 000006